(57)【要約】【目的】デジタルカメラとプリント装置の重複機能（表示画面や操作キーやソフトウエア等）を共有することで、機能部品の削減によりシステムのコストダウンを図り、制御機能の信頼性向上を図るとともに、省スペース及び操作性に優れたデジタル画像プリント装置を得る。【構成】デジタルカメラ１０の画像をコンピュータ等を介さずにプリントするデジタル画像プリント装置において、デジタルカメラをプリント装置３０に機構的に結合することで、デジタルカメラとプリント装置の電気接点８、４２を接続するとともに、デジタルカメラの撮影確認用表示器２５をプリント装置の操作方向から容易に確認できる方向に結合する。【選択図】                                図５
2004248029.tif 000002
【特許請求の範囲】
【請求項１】
デジタルカメラの画像をコンピュータ等を介さずにプリントすることができるデジタル画像プリント装置において、デジタルカメラをプリント装置に機構的に結合することにより、デジタルカメラ側の接点とプリント装置側の接点とを互いに電気的に接続することを特徴とするデジタル画像プリント装置。
【発明の詳細な説明】
【０００１】
【発明の属する技術分野】
本発明は、デジタルカメラをプリント装置に結合することにより、デジタルカメラの画像をコンピュータを介さずにプリントすることができるデジタル画像プリント装置に関する。
【０００２】
【従来の技術】
プリンタ、複写機、ファクシミリ等の機能を有するプリント装置、あるいはコンピューターやワードプロセッサ等を含む複合機やワークステーションの出力機器として用いられるプリント装置は、画像情報に基づいて用紙やプラスチック薄板（ＯＨＰなど）等の被記録材（記録媒体）に画像（文字や記号なども含む）を形成していくように構成されている。
【０００３】
前記プリント装置は、記録用紙等の被記録材に沿って記録手段を移動させて記録する主走査と該主走査に交叉する方向に被記録材を搬送（紙送り）する副走査とを組み合わせてプリントするシリアルタイプのプリント装置と、被記録材の幅方向に所定長さを有する記録手段を用いて被記録材の搬送方向の副走査（紙送り）のみでプリントするラインタイプのプリント装置とに、大別することができる。一方、近年においては、デジタルカメラをプリント装置に結合することにより、デジタルカメラの画像をコンピュータを介さずにプリントすることができるデジタル画像プリント装置が使用されている。
【０００４】
従来、デジタルカメラの画像をコンピュータを介さずにプリントするデジタル画像プリント装置におけるプリント方法として、次のような２つの方式が使用されている。
第１の方式は、デジタルカメラからメモリを取り出してプリント装置のスロットに投入し、プリント装置側から各種設定を行うことによりプリントする方式であり、第２の方式は、デジタルカメラとプリント装置とを専用ケーブルで接続し、デジタルカメラ側から各種設定を行うことによりプリントする方式である。
【０００５】
【発明が解決しようとする課題】
しかしながら、従来のメモリをプリント装置に投入する第１の方式においては、メモリを着脱しなければならないことから、接点の信頼性及び耐久性を確保することが難しいという不都合、静電気でメモリが壊されることがあるという不都合、メモリを取り出してしまうと内容が判らなくなってしまうという不都合、プリント装置側に画像確認のための表示器を設ける場合は装置全体が高価になってしまうという不都合などの、解決すべき技術的課題があった。
一方、従来の専用ケーブルを用いる第２の方式においては、ケーブルを紛失しやすいという不都合、ケーブルの両端で接続部分が２ヶ所になり信頼性が低下しやすいという不都合、操作性がわるいという不都合などの、解決すべき技術的課題があった。
【０００６】
本発明はこのような技術的課題に鑑みてなされたものであり、本発明の目的は、デジタルカメラ及びプリント装置のそれぞれに設けられた重複する機能、例えばそれぞれに設けられる表示装置や各種操作キーやソフトウエアなどをいずれか一方に設けて機能を共有することができ、機能部品を削減することによりシステムとしてのコストダウンを図ることができ、重複する機能を一つにして共有することから、制御機能の信頼性向上を図ることができ、省スペース及び操作性に優れたデジタル画像プリント装置を提供することである。
【０００７】
【課題を解決するための手段】
請求項１に記載の本発明は、上記目的を達成するため、デジタルカメラの画像をコンピュータ等を介さずにプリントすることができるデジタル画像プリント装置において、デジタルカメラをプリント装置に機構的に結合することにより、デジタルカメラ側の接点とプリント装置側の接点とを互いに電気的に接続することを特徴とする。
【０００８】
【発明の実施の形態】
以下図面を参照して本発明の実施の形態を具体的に説明する。なお、各図面を通して同一符号は同一又は対応する部分を示す。
図１は本発明を適用したデジタル画像プリント装置の第１実施例においてプリント装置に結合可能なデジタルカメラを正面側から斜め方向に見て示す模式的斜視図であり、図２は図１のデジタルカメラを裏面側から斜め方向に見て示す模式的斜視図である。図１及び図２において、１はデジタルカメラ１０ののカメラ本体、２はファインダー窓、３は撮影に際しカメラを構えるときに把持できる滑り止め兼電池入れ、４は撮像手段を構成する撮影レンズ、５はシャッターボタン、６はレンズ倍率を変更するためのズームボタン（又はシーソスイッチ）、７はデジタルカメラ１０を後述するプリント装置３０に取り付けるための係合用の溝である。なお、前記係合用の溝７は、カメラ本体１の反対側のほぼ対称の位置にも設けられている。
【０００９】
図１及び図２において、８は図示のデジタルカメラ１０をプリント装置３０（図３）の装置本体３１に結合したときに電気的接続を実現するためのコンタクト接点である。このコンタクト接点８は図示の構成では特にカバー等で覆われることなく外部へ露出しているが、通常カメラとして使用することを考慮すると、前記コンタクト接点８を覆うための開閉可能な保護カバー（不図示）を設けることが好ましい。さらに、前記保護カバーは、デジタルカメラ１０をプリント装置３０（図３）に対して着脱するときに自動的に開くことができる操作性に優れたカバーで構成されることが好ましい。ただし、図示の実施例では、説明の都合上から、コンタクト接点８は外部へ露出した状態のままで示されている。
【００１０】
図２において、２１は電源スイッチ、２２はファインダーのぞき部分、２３は各種の機能を操作するためのファンクションスイッチ（ファンクションキー）、２４は十字キーである。前記ファンクションスイッチ２３は、機能操作の数に対応する数の押しボタンを配列して構成されており、各押しボタンの部分には表示機能を選択するためのストロボの電気的な断続等の割付がなされている。また、この複数個のボタンから成るファンクションスイッチ２３によって操作される機能はモードによって切り替わるものであり、例えば、撮影時には、ストロボのＯＮ／ＯＦＦ、カラー／白黒、マクロ／ノーマル、動画／スチール、モード変更ボタンなどの切り替え操作が可能であり、閲覧時には、上、下、６分割／９分割、消去、ｙｅｓ／ｎｏなどの切り替え操作が可能である。
【００１１】
また、デジタルカメラ１０をプリント装置３０に装着すると自動でセットされてプリントのための機能に切り替わり、先ずは画像の方向をプリント装置でセットした状態で正しく見えるように回転し、使い易い位置でのスイッチ位置に変更し、左右スクロール及び上下スクロールは前記十字キー２４に任せるとして、最も適切な場所又は大きいボタンをプリントボタンに選定し、見える画像枚数の変更、きれいな画面や早い画面に切り替えたり、プリントサイズを変更したり、印刷枚数を変更したりすることに使用できるようになる。上記画像の回転は一つの大きな要素になる。
【００１２】
一方、前記十字キー２４は、液晶（液晶表示器）上のカーソル操作や画像の選択操作などのために使用される。図２において、２５はモニターとして使用可能な液晶表示器であり、この液晶表示器２５は撮影するためのフレーミングや撮影後の画像確認等のために使用される。
なお、図示のデジタルカメラ１０に設けられたシャッターボタン５、ズームボタン６、ファンクションスイッチ２３並びに十字キー２４などは、すべて一種のファンクションキーであると言うこともできる。
【００１３】
図１及図２の構成を有するデジタルカメラ１０を撮影に使用する際には、先ず電源ボタン（電源スイッチ）２１を押し、ファインダーのぞき部分２２及びファインダー窓２を通して被写体に狙いを定め、次いでズームボタン６を操作して画角を決め、シャッターボタン５を押して撮影する。前記ファンクションスイッチ２３の所定のスイッチをオンにして確認モードにすると、液晶表示器２５で画像を確認することができる。
【００１４】
なお、本実施例においても、デジタルカメラ１０の細部の使用方法などは公知の通常のデジタルカメラの場合と実質的に同じであるので、ここでは細部までの説明は省略する。また、デジタルカメラ１０を後述するプリント装置３０に結合したときの電気的接続を実現するための前記コンタクト接点８は、図示の構成では露出しているが、前述のように、カメラをプリント装置に着脱する動作に応じて自動的に開閉する保護カバーで覆うように構成することが好ましい。
【００１５】
図１及び図２のデジタルカメラ１０は図４及び図５に示すように前記コンタクト接点８をプリント装置の取付け面に向けて矢印Ａ方向から結合されることから、該デジタルカメラを該プリント装置の上向き面（例えば図３中のベース４１等）に結合する場合に該デジタルカメラの上面が上下方向の側面になり、前記液晶表示器２５も上下関係が９０度回転してその上辺が上下方向の側辺になる。従って、その場合には、デジタルカメラ１０をプリント装置３０（図３）に取付ける動作に連動して液晶表示器２５の画像表示を９０度が回転させて上下関係を整合させるように切り換えることが必要になる。
【００１６】
つまり、本実施例に係るデジタルカメラ１０を図３に示すようなプリント装置３０に結合するときには、その全ての表示内容が９０度回転されて上下方向が正しく表示されるように切り換えられる。このような切り換え動作は、プリント装置に取り付けられた条件（結合及び姿勢）によって作動される。このプリント装置に取り付けられた条件は、前記コンタクト接点８を使用してプリント装置との接続が電気的に確認されたことを条件としてもよく、その他、プリント装置に結合されたデジタルカメラの方向を姿勢センサによって検知して決定するなど、種々の条件で決定することができる。
【００１７】
図３は本発明を適用したデジタル画像プリント装置の第１実施例で使用されるプリント装置を正面側から斜め方向に見て示す模式的斜視図であり、図４は本発明を適用したデジタル画像プリント装置の第１実施例において図１及び図２のデジタルカメラ１０をプリント装置３０に結合した状態を正面側から斜め方向に見て示す模式的斜視図であり、図５は本発明を適用したデジタル画像プリント装置の第１実施例において図１及び図２のデジタルカメラ１０をプリント装置３０に結合するとともに該プリント装置にプリント用紙Ｐをセットした状態を正面側から斜め方向に見て示す模式的斜視図である。
【００１８】
図３〜図５において、プリント装置３０の装置本体３１の背面側にはホッパー部３２が設けられており、被プリントメディア（プリントされる用紙等）のプリント用紙Ｐは前記ホッパー部３２にセットされる。前記ホッパー部３２には、プリント用紙Ｐの大きさによって移動することで該プリント用紙Ｐの横方向の位置決めを行うためのサイドガイド３３が設けられている。また、装置本体３１の前面には、プリントされて排出された用紙を整列支持するための排紙トレイ３４が設けられている。
【００１９】
図３〜図５において、３５は電源スイッチであり、３６は電源状態や通信状態等を表示するための表示器であり、３７はリセットボタンであり、３８はプリント動作を開始するためのプリントボタンであり、４１はデジタルカメラを結合（装着）するためのベース部であり、４３は装着されるデジタルカメラの結合部が挿入嵌合される開口部である。前記ベース部４１の開口部４３の底部（奥部）には、図１及び図２のデジタルカメラのコンタクト接点８に対応して接触することで所定の電気的接続を完成するための電気端子（電気接点）４２が内蔵されている。また、前記ベース４１部の前記開口部４３の底部の両側には、デジタルカメラを固定（ロック）するためのフック４０が設けられている。このフック４０はデジタルカメラが装着されると該カメラの係合用の溝７に自動的に掛止して該カメラをロックし、リリースボタン３９を押して前記フック４０を前記溝７から後退（退避）移動させることにより、デジタルカメラ１０を取り外すことが可能になる。
【００２０】
前記ベース部４１のデジタルカメラ装着用の開口部４３にも、前述のコンタクト接点８の場合と同様、開閉可能な保護カバーを設けることが好ましい。この保護カバーとしては、例えば、デジタルカメラ１０をプリント装置３０に対して着脱する動作に連動して自動的に開閉する保護扉式のものを使用し、操作性に優れた構成にすることがこのましい。このような保護カバーを設けることにより、前記コンタクト接点８及び電気端子（電気接点）４２の接点部を保護することもできる。
図４及び図５に示すようなデジタルカメラ１０をプリント装置３０に結合した状態では、カメラ部の液晶表示器２５を操作方向から容易にかつ十分に認識することができ、ファンクションスイッチ２３や十字キー２４等の操作も容易にかつスムーズに行うことができる。
【００２１】
以上説明した実施例によれば、デジタルカメラ１０をプリント装置３０に結合することによって、デジタルカメラ１０及びプリント装置３０のそれぞれに設けられた重複する機能、例えばそれぞれに設けられる表示装置や各種操作キーやソフトウエアなどをいずれか一方に設けて機能を共有することが可能になることから、機能部品を削減することによりシステムとしてのコストダウンを図ることが可能になる。さらに、重複する機能を一つにして共有することから、制御機能の信頼性が向上するとともに、省スペースに優れ、全体としての小型軽量化及び操作性の向上を図ることができるデジタル画像プリント装置が提供される。
【００２２】
図６は本発明を適用したデジタル画像プリント装置の第２実施例におけるプリント装置を正面側から斜め方向に見て示す模式的斜視図であり、図７は本発明を適用したデジタル画像プリント装置の第２実施例においてデジタルカメラをプリント装置に結合した状態を正面側から斜め方向に見て示す模式的斜視図であり、図８は本発明を適用したデジタル画像プリント装置の第２実施例においてデジタルカメラをプリント装置に結合するとともに該プリント装置にプリント用紙をセットした状態を正面側から斜め方向に見て示す模式的斜視図である。なお、図６〜図８に示す第２実施例においてプリント装置３０に装着（結合）されるデジタルカメラ１０は図１及び図２に示すデジタルカメラと実質的に同じ構成を有するものである。
【００２３】
図６〜図８において、デジタルカメラ１０を装着するためにプリント装置３０に設けられたベース部４１には、コントロール用のキー（又はボタン）６１が設けられている。図示の例ではこのコントロールキー６１は複数のファンクションキーで構成されており、装着されたデジタルカメラに保存されている画像（撮影像）をプリントする際の操作用スイッチ類の一部（又は大部分）が配設されている。これらのコントロールキー６１は、本来的にはデジタルカメラ１０側に設けることができるものであり、図示の実施例のようにプリント装置３０に設ける他、必要に応じてデジタルカメラ１０側にもその一部又は全部を重複して設けても良い。
【００２４】
デジタルカメラの場合はキートップが小さいために操作性が劣るという傾向があり、前記コントロールキー６１はこのような操作性の問題を解決して操作性を向上させる点できわめて有効である。例えば、プリント動作を制御するためのプリントボタン、並びに、画像選択のための画像選択操作ボタンなどをプリント装置本体側の上記コントロールキー６１として配置することにより、操作性を向上させることができる。また、通常ではプリント装置本体３１の左側部分あるいはカバー中央部分に設けられるプリントスイッチを上記コントロールキー６１の一つが兼用する場合と兼用しない場合がある。なお、利便性を考慮すると、画像の詳細設定はカメラ側で操作する構成とすることが好ましい。
【００２５】
図６〜図８の第２実施例は、以上説明した点で図１〜図５の第１実施例と相違しているが、その他の点では実質的に同じ構成を有しており、それぞれ対応する部分を同一符号で表示し、それらの詳細説明は省略する。
図６〜図８の第２実施例によれば、図１〜図５で説明した第１実施例の場合と同様の効果が得られる他に、プリント時の操作のためにデジタルカメラ１０に設けられたコントロール用のキーをプリント装置３０側へ移すことにより、デジタルカメラ１０の更なるコストダウンと操作性向上を実現することができる。
【００２６】
図９は本発明を適用したデジタル画像プリント装置の第３実施例においてデジタルカメラをプリント装置に結合した状態を正面側から斜め方向に見て示す模式的斜視図であり、図１０は本発明を適用したデジタル画像プリント装置の第３実施例においてプリント装置に結合可能なデジタルカメラを正面側から斜め方向に見て示す模式的斜視図であり、図１１は本発明を適用したデジタル画像プリント装置の第３実施例におけるプリント装置を正面側から斜め方向に見て示す模式的斜視図である。
【００２７】
図９〜図１１の第３実施例においては、プリント装置３０の上面（図示の例では前下がりに傾斜した上面）にデジタルカメラ１０がちょうど嵌まり込むような凹部４４が形成され、この凹部４４に対し、デジタルカメラ１０は、その裏面に設けられた液晶表示器（液晶画面）２５を上向き（上面にくる）にして前記凹部４４に嵌め込まれれた姿勢で装着（結合）されている。
プリント装置３０の前記凹部４４の底部の所定位置にはデジタルカメラ１０との電気的接続を行うための電気接点（電気端子）１１１が設けられている。一方、デジタルカメラ１０の前面の所定位置、つまり結合状態で前記電気接点１１１に対応する位置には、結合状態で前記電気接点１１１と接触するカメラ側のコンタクト接点１０１が設けられている。このコンタクト接点１０１は、図１及び図２に示すデジタルカメラ１０の側面（結合状態では下面接合面）に設けられた前記コンタクト接点８に代えて設けられたものであり、機能的には実質的に同じ接点を構成するものである。
【００２８】
なお、第３実施例においても、前記デジタルカメラ１０のコンタクト接点１０１の部位あるいは前記プリント装置３０の凹部４４の部位に、前記コンタクト接点８の場合に補足説明したと同様の理由から、開閉可能な保護カバーを設けることが好ましい。この保護カバーとしては、例えば、デジタルカメラ１０をプリント装置３０に対して着脱する動作に連動して自動的に開閉する保護扉式のものを使用し、操作性に優れた構成にすることがこのましい。このような保護カバーを設けることにより、前記コンタクト接点１０１及び電気接点（電気端子）１１１の接点部を保護することができる。
また、図９に示すようなデジタルカメラ１０をプリント装置３０に結合した状態では、カメラ部の液晶表示器２５を前側上方（操作方向）から容易にかつ十分に認識することができ、ファンクションスイッチ２３や十字キー２４等の操作も容易にかつスムーズに行うことができる。
【００２９】
図９〜図１１の第３実施例は、以上説明した点で図１〜図５の第１実施例と相違しているが、その他の点では実質的に同じ構成を有しており、それぞれ対応する部分を同一符号で表示し、それらの詳細説明は省略する。
図９〜図１１の第３実施例によれば、図１〜図５で説明した第１実施例の場合と同様の効果が得られる他に、プリント装置３０に対してデジタルカメラ１０を平面的に嵌め込むことから、装着（結合）する際に重力方向に操作できることができ、そのため、前述の第１実施例や第２実施例におけるフック４０及びリリースボタン３９から成る着脱機構を省略することも可能になる。さらに、液晶表示器２５、ファンクションスイッチ２３及び十字等が設けられた裏面を上向きにして装着することから、デジタル画像プリント装置の操作性を更に向上させることができる。
【００３０】
以上説明した実施例においては、以下に列挙するような本発明の実施態様が記載されている。
実施態様１：デジタルカメラの画像をコンピュータ等を介さずにプリントすることができるデジタル画像プリント装置において、デジタルカメラをプリント装置に機構的に結合することにより、デジタルカメラ側の接点とプリント装置側の接点とを互いに電気的に接続することを特徴とするデジタル画像プリント装置。
上記実施態様１の構成によれば、デジタルカメラ及びプリント装置のそれぞれに設けられた重複する機能、例えばそれぞれに設けられる表示装置や各種操作キーやソフトウエアなどをいずれか一方に設けて機能を共有することが可能になることから、機能部品を削減することによりシステムとしてのコストダウンを図ることが可能になり、重複する機能を一つにして共有することから、制御機能の信頼性が向上するとともに、省スペース及び操作性に優れたデジタル画像プリント装置が提供される。
【００３１】
実施態様２：デジタルカメラの撮影確認用の表示器をプリント装置の操作方向から確認できる方向に、該デジタルカメラを該プリント装置に機構的に結合することを特徴とする実施態様１に記載のデジタル画像プリント装置。
実施態様３：デジタルカメラ又はプリント装置に、デジタルカメラをプリント装置から取り外すための結合解除機構が設けられていることを特徴とする実施態様１又は２に記載のデジタル画像プリント装置。
実施態様４：デジタルカメラをプリント装置に結合した状態で、デジタルカメラ側のキー操作により画像選択操作やプリント操作などを行うことを特徴とする実施態様１〜３のいずれかに記載のデジタル画像プリント装置。
実施態様５：デジタルカメラをプリント装置に結合した状態で、プリント装置側のキー操作によって画像選択操作やプリント操作などを行うことを特徴とする実施態様１〜３のいずれかに記載のデジタル画像プリント装置。
【００３２】
なお、本発明を適用したデジタル画像プリント装置で使用するプリント装置としては、種々の記録方式のものを使用することができ、前述のようなシリアルタイプ及びラインタイプのプリント装置などスキャン方式の異なる種々のプリント装置を使用できることはもちろん、画像形成方式を異にする種々のプリント装置、例えばインクジェットプリント方式、レーザービームプリント方式、ワイヤードット方式、熱転写（感熱）方式などのプリント装置を使用できることはもちろんである。
また、本発明を適用したデジタル画像プリント装置で使用するプリント装置としては、コンピュータとの接続機能を持つ従来のプリント装置（プリンタ、記録装置）としての機能を兼ね備えたものでも良いことはもちろんである。
【００３３】
【発明の効果】
以上の説明から明らかなごとく、本発明によれば、デジタルカメラの画像をコンピュータ等を介さずにプリントすることができるデジタル画像プリント装置において、デジタルカメラをプリント装置に機構的に結合することにより、デジタルカメラ側の接点とプリント装置側の接点とを互いに電気的に接続する構成としたので、
デジタルカメラ及びプリント装置のそれぞれに設けられた重複する機能、例えばそれぞれに設けられる表示装置や各種操作キーやソフトウエアなどをいずれか一方に設けて機能を共有することが可能になることから、機能部品を削減することによりシステムとしてのコストダウンを図ることが可能になり、重複する機能を一つにして共有することから、制御機能の信頼性が向上するとともに、省スペース及び操作性に優れたデジタル画像プリント装置が提供される。
【図面の簡単な説明】
【図１】本発明を適用したデジタル画像プリント装置の第１実施例においてプリント装置に結合可能なデジタルカメラを正面側から斜め方向に見て示す模式的斜視図である。
【図２】図１のデジタルカメラを裏面側から斜め方向に見て示す模式的斜視図である。
【図３】本発明を適用したデジタル画像プリント装置の第１実施例で使用されるプリント装置を正面側から斜め方向に見て示す模式的斜視図である。
【図４】本発明を適用したデジタル画像プリント装置の第１実施例において図１及び図２のデジタルカメラをプリント装置に結合した状態を正面側から斜め方向に見て示す模式的斜視図である。
【図５】本発明を適用したデジタル画像プリント装置の第１実施例において図１及び図２のデジタルカメラをプリント装置に結合するとともに該プリント装置にプリント用紙をセットした状態を正面側から斜め方向に見て示す模式的斜視図である。
【図６】本発明を適用したデジタル画像プリント装置の第２実施例におけるプリント装置を正面側から斜め方向に見て示す模式的斜視図である。
【図７】本発明を適用したデジタル画像プリント装置の第２実施例においてデジタルカメラをプリント装置に結合した状態を正面側から斜め方向に見て示す模式的斜視図である。
【図８】本発明を適用したデジタル画像プリント装置の第２実施例においてデジタルカメラをプリント装置に結合するとともに該プリント装置にプリント用紙をセットした状態を正面側から斜め方向に見て示す模式的斜視図である。
【図９】本発明を適用したデジタル画像プリント装置の第３実施例においてデジタルカメラをプリント装置に結合した状態を正面側から斜め方向に見て示す模式的斜視図である。
【図１０】本発明を適用したデジタル画像プリント装置の第３実施例においてプリント装置に結合可能なデジタルカメラを正面側から斜め方向に見て示す模式的斜視図である。
【図１１】本発明を適用したデジタル画像プリント装置の第３実施例におけるプリント装置を正面側から斜め方向に見て示す模式的斜視図である。
【符号の説明】
１      カメラ本体
２      ファインダー窓
３      滑り止め兼電池入れ
４      撮影レンズ
５      シャッターボタン
６      ズームボタン（シーソースイッチ）
７      係合用の溝
８      コンタクト接点
１０    デジタルカメラ
２１    電源スイッチ
２２    ファインダーのぞき部分
２３    ファンクションスイッチ（ファンクションキー）
２４    十字キー
３０    プリント装置
３１    装置本体
３２    ホッパー部
３３    サイドガイド
３４    排紙トレイ
３５    電源スイッチ
３６    表示器
３７    リセットボタン
３８    プリントボタン
３９    リリースボタン
４０    フック
４１    ベース部
４２    電気端子（電気接点）
４３    開口部
４４    凹部
６１    コントロール用のキー
１０１  コンタクト接点
１１１  電気接点
【図１】
2004248029.tif 000003
【図２】
2004248029.tif 000004
【図３】
2004248029.tif 000005
【図４】
2004248029.tif 000006
【図５】
2004248029.tif 000007
【図６】
2004248029.tif 000008
【図７】
2004248029.tif 000009
【図８】
2004248029.tif 000010
【図９】
2004248029.tif 000011
【図１０】
2004248029.tif 000012
【図１１】
2004248029.tif 000013